(57)【要約】【課題】電子文書を閲覧する際の利便性を向上させた情報処理装置を提供する。【解決手段】読取部１１は与えられた文書について目次と本文を分けて画像として読み取る。目次解析部１３は、読取部１１で読み取った目次の画像を解析し、目次の項目を抽出して認識部１２で文字認識し、見出し項目とする。本文解析部１４は、読取部１１で読み取った本文の画像を解析し、見出しなどを抽出して認識部１２で文字認識し、目次から得た見出し項目と本文の画像との対応づけを行う。電子情報作成部１５は、本文の電子情報を作成するとともに、目次解析部１３による目次の解析結果と、本文解析部１４による本文の抽出結果を対応づけて栞情報を作成し、また、読取部１１で読み取った画像の電子情報を作成して栞情報と結合し、電子栞付き情報を作成する。【選択図】図１
2014075029.tif 000002
【特許請求の範囲】
【請求項１】
目次及び本文の画像を読み取る読取手段と、画像中の文字を認識する認識手段と、目次の画像を解析して文字認識結果をもとに少なくとも見出し項目を取得する目次解析手段と、本文の画像を解析して前記見出し項目を含む画像を文字認識結果をもとに前記見出し項目と対応づける本文解析手段と、前記見出し項目と本文の画像を対応づけた栞情報を読み取った画像の電子情報に付加した電子栞付き情報を作成する作成手段を有することを特徴とする情報処理装置。
【請求項２】
前記読取手段は、予め指定された枚数の画像を目次とし、以降の画像を本文とすることを特徴とする請求項１に記載の情報処理装置。
【請求項３】
前記読取手段は、色紙を検出する機能を有し、色紙までの画像を目次とし、色紙以降の画像を本文とすることを特徴とする請求項１に記載の情報処理装置。
【請求項４】
前記読取手段は、レイアウト解析と前記認識手段による認識結果をもとに、目次と本文を判別することを特徴とする請求項１に記載の情報処理装置。
【請求項５】
前記本文解析手段は、本文の画像をレイアウト解析して表題の領域を抽出し、該領域の文字認識結果に基づいて前記見出し項目との対応付けを行うことを特徴とする請求項１から請求項４のいずれか１項に記載の情報処理装置。
【請求項６】
前記目次解析手段は、前記見出し項目とともに該見出し項目に対応するページ番号を取得し、前記本文解析手段は、本文の画像のページ番号が付されている領域の文字認識結果と、前記見出し項目に対応するページ番号とから、前記見出し項目と本文の画像との対応付けを行うことを特徴とする請求項１から請求項４のいずれか１項に記載の情報処理装置。
【請求項７】
コンピュータに、請求項１から請求項６のいずれか１項に記載の情報処理装置の機能を実行させるものであることを特徴とする情報処理プログラム。
【発明の詳細な説明】
【技術分野】
【０００１】
本発明は、情報処理装置及び情報処理プログラムに関するものである。
【背景技術】
【０００２】
技術書などの目次が付されている文書を画像読取装置で読み取って電子文書とし、コンピュータ端末や携帯電子端末で閲覧することが行われている。この場合、文書のページ数によっては、目的のページにたどり着くのに手間と時間がかかってしまう。よく参照するページには手作業で電子栞を付けておき、その電子栞を用いて当該ページを参照する機能も利用されている。
【０００３】
例えば特許文献１では、読み取った画像から章タイトルなどを抽出し、リンク情報を付加している。これにより、目次の章タイトルから本文の該当ページが参照されるようにしている。また、特許文献２でも、読み取った画像を文字認識し、目次ページの見出しを抽出して本文の見出しと対応付け、目次の見出しを指定すれば目的のページの画像が参照されるようにしている。
【０００４】
これらの目次から目的のページを参照する構成では、ある目的の項目のページを参照した後、別の項目のページを参照する際には、一旦、目次のページに戻ってから次に参照する項目を探して指示し、参照することになる。
【先行技術文献】
【特許文献】
【０００５】
【特許文献１】特開２００６−８５２３４号公報
【特許文献２】特開２００２−２４７９６号公報
【発明の概要】
【発明が解決しようとする課題】
【０００６】
本発明は、本構成を有しない場合に比べて、電子文書を閲覧する際の利便性を向上させた情報処理装置および情報処理プログラムを提供することを目的とするものである。
【課題を解決するための手段】
【０００７】
本願請求項１に記載の発明は、目次及び本文の画像を読み取る読取手段と、画像中の文字を認識する認識手段と、目次の画像を解析して文字認識結果をもとに少なくとも見出し項目を取得する目次解析手段と、本文の画像を解析して前記見出し項目を含む画像を文字認識結果をもとに前記見出し項目と対応づける本文解析手段と、前記見出し項目と本文の画像を対応づけた栞情報を読み取った画像の電子情報に付加した電子栞付き情報を作成する作成手段を有することを特徴とする情報処理装置である。
【０００８】
本願請求項２に記載の発明は、本願請求項１に記載の発明における前記読取手段が、予め指定された枚数の画像を目次とし、以降の画像を本文とすることを特徴とする情報処理装置である。
【０００９】
本願請求項３に記載の発明は、本願請求項１に記載の発明における前記読取手段が、色紙を検出する機能を有し、色紙までの画像を目次とし、色紙以降の画像を本文とすることを特徴とする情報処理装置である。
【００１０】
本願請求項４に記載の発明は、本願請求項１に記載の発明における前記読取手段が、レイアウト解析と前記認識手段による認識結果をもとに、目次と本文を判別することを特徴とする情報処理装置である。
【００１１】
本願請求項５に記載の発明は、本願請求項１から請求項４のいずれか１項に記載の発明における前記本文解析手段が、本文の画像をレイアウト解析して表題の領域を抽出し、該領域の文字認識結果に基づいて前記見出し項目との対応付けを行うことを特徴とする情報処理装置である。
【００１２】
本願請求項６に記載の発明は、本願請求項１から請求項４のいずれか１項に記載の発明における前記目次解析手段が、前記見出し項目とともに該見出し項目に対応するページ番号を取得し、前記本文解析手段が、本文の画像のページ番号が付されている領域の文字認識結果と、前記見出し項目に対応するページ番号とから、前記見出し項目と本文の画像との対応付けを行うことを特徴とする情報処理装置である。
【００１３】
本願請求項７に記載の発明は、コンピュータに、請求項１から請求項６のいずれか１項に記載の情報処理装置の機能を実行させるものであることを特徴とする情報処理プログラムである。
【発明の効果】
【００１４】
本願請求項１に記載の発明によれば、目次がある文書を読取装置によって読み取って電子文書を作成し、その電子文書を閲覧する際の利便性を、本構成を有しない場合に比べて向上させることができるという効果がある。
【００１５】
本願請求項２及び請求項３に記載の発明によれば、目次と本文の区別を、本構成を有しない場合に比べて容易に行うことができる。
【００１６】
本願請求項４に記載の発明によれば、本構成を有しない場合に比べて手間をかけずに、目次がある文書を電子化することができる。
【００１７】
本願請求項５に記載の発明によれば、本文のレイアウト構成などによらずに、見出し項目と本文の画像との対応付けを行うことができる。
【００１８】
本願請求項６に記載の発明によれば、本構成を有しない場合に比べて簡単な処理によって見出し項目と本文の画像との対応付けを行うことができる。
【００１９】
本願請求項７に記載の発明によれば、本願請求項１から請求項６のいずれか１項に記載の発明の効果を得ることができる。
【図面の簡単な説明】
【００２０】
【図１】本発明の実施の一形態を示す構成図である。
【図２】本発明の実施の一形態における動作の一例を示す流れ図である。
【図３】文書を読み取る際の設定を行う画面の一例の説明図である。
【図４】文書を読み取る際の設定を行う画面の一例の説明図（続き）である。
【図５】目次本文別読み込みを行う場合の文書の扱いの説明図である。
【図６】目次枚数指定で読み込む場合の一例の説明図である。
【図７】色紙の指定で読み込む場合の一例の説明図である。
【図８】自動の指定で読み込む場合の一例の説明図である。
【図９】見出し項目と本文の対応付けの一例の説明図である。
【図１０】見出し項目と本文の対応付けの別の例の説明図である。
【図１１】作成した電子栞付き情報の一例の説明図である。
【図１２】電子栞付き情報の表示例の説明図である。
【図１３】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２１】
図１は、本発明の実施の一形態を示す構成図である。図中、１１は読取部、１２は認識部、１３は目次解析部、１４は本文解析部、１５は電子情報作成部である。与えられる文書には目次が付されており、目次とともに本文を画像として読み取って電子化した電子情報を作成するものとする。与えられる文書は、書類や書籍など、制限されない。
【００２２】
読取部１１は、与えられた文書の目次及び本文を画像として読み取る。文書を読み取る際に、目次と本文を分けるとよい。その方法としては、目次と本文を別々に読み取るほか、予め指定された枚数の画像を目次とし、以降の画像を本文としたり、色紙を検出する機能を有して色紙までの画像を目次とし、色紙以降の画像を本文としたり、あるいは、レイアウト解析と後述する認識部２による認識結果をもとに目次と本文を判別するなどがある。もちろん、これらの方法以外の方法により目次と本文を分けてもよい。
【００２３】
認識部１２は、読み取った画像中の文字を認識する。認識方法としては周知の方法を用いればよい。また、認識対象は画像全体でなくてもよく、レイアウト解析の結果に従って行ってもよい。例えば目次の各項目や本文の見出しについて文字認識を行えばよい。
【００２４】
目次解析部１３は、読取部１１で読み取った目次の画像について、文字の大きさや段落、位置などからレイアウト解析を行い、解析された項目を認識部１２によって文字認識した結果をもとに、少なくとも見出し項目を取得する。その際に、章や節といった文書の構造についても解析してもよい。さらに、各見出し項目に対応するページ番号を取得してもよい。
【００２５】
本文解析部１４は、読取部１１で読み取った本文の画像を解析し、目次解析部１３で取得した見出し項目と、その見出し項目を含む画像を文字認識結果をもとに見出し項目と対応づける。例えば、本文の画像に対してレイアウト解析を行って表題の領域などを抽出し、その領域を認識部１２で文字認識して、その認識結果をもとに目次解析部１３で取得した見出し項目と本文の画像との対応付けを行う。あるいは、本文の画像のページ番号が付されている領域について認識部１３で文字認識し、その文字認識結果と見出し項目に対応するページ番号とから、見出し項目と本文の画像との対応付けを行ってもよい。
【００２６】
電子情報作成部１５は、目次解析部１３による目次の解析結果と、本文解析部１４による本文の抽出結果を対応づけて栞情報を作成し、その栞情報を読取部１１で読み取った画像の電子情報に付加した電子栞付き情報を作成する。
【００２７】
図２は、本発明の実施の一形態における動作の一例を示す流れ図である。Ｓ１において、読取部１１は与えられた文書について目次と本文を分けて画像として読み取る。
【００２８】
Ｓ２において、目次解析部１３は、読取部１１で読み取った目次の画像を解析し、目次の項目を抽出して認識部１２で文字認識し、見出し項目とする。あるいはさらに、見出し項目に対応するページ番号を取得する。
【００２９】
Ｓ３において、本文解析部１４は、読取部１１で読み取った本文の画像を解析し、見出しなどを抽出して認識部１２で文字認識し、あるいはページ番号が付されている領域を抽出して認識部１２で文字認識し、目次から得た見出し項目と本文の画像との対応づけを行う。
【００３０】
電子情報作成部１５は、Ｓ４において本文の電子情報を作成するとともに、Ｓ５において、目次解析部１３による目次の解析結果と、本文解析部１４による本文の抽出結果を対応づけて栞情報を作成し、また、読取部１１で読み取った画像の電子情報を作成して栞情報と結合し、電子栞付き情報を作成する。
【００３１】
以下、上述した本発明の実施の一形態における構成及び動作の一例について、さらに説明してゆく。図３、図４は、文書を読み取る際の設定を行う画面の一例の説明図である。文書から電子情報を作成する際には、例えば、図３（Ａ）に示した機能を選択する画面から、ａとして示した「スキャナ（ＰＣ保存）」を選択する。すると、例えば図３（Ｂ）に示す設定画面が表示される。上述した文書から電子栞付き情報を作成する処理を行う際には、図３（Ｂ）に示した設定画面で、ｂとして示した「出力ファイル形式」を選択して図４（Ａ）に示す出力ファイル形式設定画面を表示させ、ここでは一例としてｃとして示した「ＰＤＦ」を選択するとともにｄとして示した「栞設定」を選択する。これらの操作により図４（Ｂ）に示す栞設定画面が表示され、この画面でｅとして示した「栞スキャン」で「する」を選択すればよい。図４（Ｂ）に示す栞設定画面でｆとして示した「セパレータ指定」では、どのように目次と本文を分けて読み込むかを指定する。この例では、一例として「目次本文別読み込み」、「目次枚数指定」、「色紙」、「自動」のうちから選択する。
【００３２】
図５は、目次本文別読み込みを行う場合の文書の扱いの説明図である。図４（Ｂ）に示す栞設定画面の「セパレータ指定」で、例えば「目次本文別読み込み」が指定されて、ｇとして示した「ＯＫ」が操作された場合、目次と本文を分けて読取部１１で読み取る。図５には文書の一例を示しているが、この例では、まず目次の原稿をセットして読取を開始させ、読取が終了したら本文の原稿をセットして読取を開始させる。あるいは、逆に本文を先に読み取ってから目次の読取を行ってもよい。いずれにしても、目次と本文を別々に読み取らせる。この方法では、目次と本文が分離されて読み込まれるが、目次の読取の操作と本文の読み取りの操作の両方の操作を行うことになる。
【００３３】
図６は、目次枚数指定で読み込む場合の一例の説明図である。図４（Ｂ）に示す栞設定画面を図６（Ａ）に示しているが、この例では「セパレータ指定」で「目次枚数指定」が指定された場合を示している。この場合、さらに枚数を設定する。その後、ｇとして示した「ＯＫ」が操作され、読取開始が指示されたとする。この場合、例えば読み込んだ原稿の１ページ目から枚数で設定されたページ数だけを目次として扱い、それ以降を本文として扱う。図６（Ａ）では枚数として「６」が指定されているので、図６（Ｂ）に示したように原稿の１枚目から６枚目までを目次として読み込み、７枚目以降を本文として読み込む。もちろん、本文を先に読み込み、最後から指定された枚数を目次として読み込むように構成されていてもよい。この方法では、目次と本文で１回の読み取りの操作でよいが、枚数の指定が必要となる。
【００３４】
図７は、色紙の指定で読み込む場合の一例の説明図である。図４（Ｂ）に示す栞設定画面を図７（Ａ）に示しているが、この例では「セパレータ指定」で「色紙」が指定された場合を示している。その後、ｇとして示した「ＯＫ」が操作され、読取開始が指示されたとする。この場合、図７（Ｂ）に示すように、原稿の目次と本文の間に、斜線を施して示した色紙を挟んでおく。読み込みを進めてゆき、色紙を検出したら、それまでを目次とし、色紙に続く原稿を本文として扱う。もちろん、色紙より前を本文、色紙より後を目次としてもよい。この方法でも目次の読取と本文の読取について１回の操作でよいが、色紙が必須となる。
【００３５】
図８は、自動の指定で読み込む場合の一例の説明図である。図４（Ｂ）に示す栞設定画面を図８（Ａ）に示しているが、この例では「セパレータ指定」で「自動」が指定された場合を示している。その後、ｇとして示した「ＯＫ」が操作され、読取開始が指示されたとする。この場合、図８（Ｂ）に示すように、目次と本文は連続して読み込まれ、読取部１１でレイアウト解析を行って目次と本文の分離を行う。目次では、項目とページ番号の並びであるなど、特有の文書構造であり、従来より知られている技術により目次であることが分かる。この例では目次に続けて本文を読み取らせているが、本文に続けて目次を読み取らせてもよい。この方法では、目次と本文を意識せずに読み取らせればよいが、誤検出の可能性もある。
【００３６】
ここでは４つの方法について示したが、これらの方法以外の方法で目次と本文を分けて読み取ってもよい。また、選択肢は４つに限らず、２，３，あるいは５以上としてもよい。その場合の選択肢となる方法は上述の方法に限られるものではない。もちろん、ある方法を使用することとし、「セパレータ指定」の指示を行わない構成であってもよい。
【００３７】
なお、上述の画像を読み取る際の操作画面などは一例であって、この例に限られないことは言うまでもない。
【００３８】
目次と本文を読み込んだら、目次解析部１３は、目次の画像に対して、文字の大きさやインデント、段落、位置などをもとにレイアウト解析して、目次の項目を抽出する。そして、抽出した目次の各項目を認識部１２で文字認識し、見出し項目とする。この見出し項目とした認識文字列は、栞を作成する際の文字列として使用する。
【００３９】
図９は、見出し項目と本文の対応付けの一例の説明図である。図９（Ａ）には、目次の一例を示している。この目次の例では、最上位の表題として、「はじめに」と、第１章の「○○入門」、第２章の「○○の基本」などがあり、それぞれの展開項目として種々の表題（サブタイトル）が記載されている。この例では、「はじめに」と、各章の表題である「○○入門」、「○○の基本」などの項目を抽出し、これらの文字列を認識する。あるいはさらに、サブタイトルについても抽出し、文字認識してもよい。
【００４０】
また本文解析部１４は、読み込んだ本文の画像を解析し、見出しなどを抽出して認識部１２で文字認識し、目次から得た見出し項目と対応づける。図９（Ｂ）に示した本文の例では、ページの上部に他の文字よりも大きな文字で表題が記されている。レイアウト解析によって表題を抽出して、認識部１２で文字認識する。「はじめに」、「○○入門」、「○○の基本」などの表題が抽出されて文字認識される。これらと、目次解析部１３で得た見出し項目とを対応づける。
【００４１】
図１０は、見出し項目と本文の対応付けの別の例の説明図である。目次には、一般に見出し項目となる各項目とともに、当該項目が存在するページ番号が付されている。目次解析部１３では、各見出し項目を得る際に、対応するページ番号も抽出して文字認識し、取得しておく。例えば図１０（Ａ）に示した目次の例では、「はじめに」に対応するページ番号として「ｖｉｉ」が、「○○入門」に対応するページ番号として「１」が、「○○の基本」に対応するページ番号として「４３」が、それぞれ取得される。
【００４２】
本文については、各画像からページ番号が記載されている領域を抽出して文字認識し、目次解析部１３で取得したページ番号が得られた画像に対して見出し項目を対応づければよい。ページ番号が記載されている領域が分かっていればレイアウト解析を行わなくても、見出し項目との対応付けが行われることになる。図１０（Ｂ）に示した例では、各画像の下隅にページ番号が付されており、これを抽出して文字認識してゆき、目次から取得されたページ番号に対応する画像を特定して見出し項目と対応づければよい。
【００４３】
なお、図１０（Ａ）に示した目次の例では、「はじめに」に付されているページ番号が数字でないが、このような場合でも、目次に記載されているページを示す記号と、本文に記載されているページを示す記号とを参照して対応づければよい。あるいは、ページ番号が数字でない場合については、図９で説明した表題を抽出する方法により対応付けを行ってもよい。また、目次から見出し項目としては抽出されないが、見出し項目「目次」を作成し、目次の画像と対応づけておいてもよい。
【００４４】
目次から見出し項目の抽出と、抽出した見出し項目と本文との対応付けが終了したら、電子情報作成部１５は、読取部１１で読み取った画像の電子情報を作成するとともに、見出し項目及びその本文との対応付けの結果から、対応づけられている本文のページに見出し項目の栞を付した栞情報を作成し、本文の電子情報と結合して電子栞付き情報を作成する。
【００４５】
図１１は、作成した電子栞付き情報の一例の説明図である。図１１（Ａ）には読取部１１で読み取った画像の電子情報の一例を示しており、各ページの画像とともに対応を示している。この例では、目次の１ページ目の画像が１番目のオブジェクト、表題が「はじめに」のページの画像が７番のオブジェクト、表題が「○○入門」のページの画像が１０番のオブジェクト、表題が「○○の基本」のページの画像が５２番のオブジェクトとして記述されている。
【００４６】
一方、図１１（Ｂ）に示した栞情報の一例では、見出し項目のそれぞれをオブジェクトとし、「／Ｄｅｓｔ［」に続けて、見出し項目に対応づけている画像のオブジェクト番号を記し、「／Ｔｉｔｌｅ」に見出し項目の文字列を括弧書きしている。このような栞情報を、読取部１１で読み取った画像の電子情報と結合し、電子栞付き情報とすればよい。
【００４７】
図１２は、電子栞付き情報の表示例の説明図である。上述のようにして作成された電子栞付き情報を閲覧した場合に表示される画面の一例を図１２に示している。この例では、読取部１１で読み取った画像が表示されるとともに、付加した栞情報に含まれる見出し項目の一覧が表示されている。
【００４８】
図１２（Ａ）では、最初に読取部１１で読み取った画像である目次のページの画像と、栞情報として見出し項目の一覧が表示されている。この例では見出し項目として「目次」を含めており、見出し項目の一覧にも「目次」が含まれている。
【００４９】
図１２（Ａ）に示す表示の状態から、「○○の基本」の内容を参照する場合には、見出し項目の一覧のうち矢線で示した「○○の基本」を指示すればよい。「○○の基本」を指示すれば、図１２（Ｂ）に示すように、目次のページの画像から表題が「○○の基本」のページの画像に表示が変わる。このように、栞情報により表示されている見出し項目の一覧から選択して指示すれば、目的のページの画像が表示されることになる。
【００５０】
目的のページの画像が表示されても、栞情報により表示されている見出し項目の一覧はそのまま表示される。従って、別のページの画像を表示させる際にも、一覧表示されている見出し項目から選択して指示すれば、その見出し項目が付されているページの画像が表示されることになる。従来では、目次の各項目と、その項目に対応するページの画像とが対応づけられているため、別の目的のページの画像を表示させる際には、一旦、目次に戻ってから別の項目を指示することになる。この例では栞情報により表示されている見出し項目の一覧から、所望の見出し項目を指示すれば、当該見出し項目のページの画像が表示され、目次に戻る必要はない。
【００５１】
もちろん、従来の技術を併用し、目次の各項目と対応する本文のページをリンクして、目次の各項目を指示した場合でもその項目のページが表示される機能を含んでいてもよい。さらに、例えば索引からのリンクや図表とのリンクなど、電子文書に関する種々の機能とともに適用してよいことは言うまでもない。
【００５２】
また、上述の具体例では、例えば図４（Ａ）に示した表示例や図１１に示した電子栞付き情報では、ＰＤＦをベースとして例を示している。しかしこれに限らず、電子的に栞を付けて一覧表示される種々の形式の電子栞付き情報を作成する場合について適用してよい。
【００５３】
図１３は、本発明の実施の一形態で説明した機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００５４】
上述の本発明の実施の一形態として説明した各部の機能の全部または部分的に、コンピュータが実行するプログラム２１によって実現してもよい。その場合、そのプログラム２１およびそのプログラムが用いるデータなどは、コンピュータによって読み取られる記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１，光ディスク３２（ＣＤやＤＶＤなどを含む）、磁気ディスク３３，メモリ３４（ＩＣカード、メモリカード、フラッシュメモリなどを含む）等である。もちろんこれらの記憶媒体は、可搬型に限られるものではない。
【００５５】
これらの記憶媒体にプログラム２１を格納しておき、例えばコンピュータ２２の読取部４３あるいはインタフェース４５にこれらの記憶媒体を装着して、コンピュータからプログラム２１を読み出し、内部メモリ４２またはハードディスク４４（磁気ディスクやシリコンディスクなどを含む）に記憶し、ＣＰＵ４１によってプログラム２１を実行し、上述の本発明の実施の一形態として説明した機能が全部又は部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行して実現してもよい。
【００５６】
コンピュータ２２には、このほかインタフェース４５を介して様々な装置と接続してもよい。例えば情報を表示する表示手段が接続され、図３，図４で説明した操作を行う画面を表示し、あるいは図１２で説明した電子栞付き情報を閲覧する際の表示を行ってもよい。さらに、利用者からの情報を受け付ける受付手段が接続され、図３，図４で説明した指示操作を受け付けてもよい。もちろん、タッチパネルなどのように表示手段と受付手段が一体となっていてもよい。その他の装置が接続されていてもよいことは言うまでもない。なお、各構成が１台のコンピュータにおいて動作する必要はなく、処理段階に応じて別のコンピュータにより処理が実行されてもよい。
【符号の説明】
【００５７】
１１…読取部、１２…認識部、１３…目次解析部、１４…本文解析部、１５…電子情報作成部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
2014075029.tif 000003
【図２】
2014075029.tif 000004
【図３】
2014075029.tif 000005
【図４】
2014075029.tif 000006
【図５】
2014075029.tif 000007
【図６】
2014075029.tif 000008
【図７】
2014075029.tif 000009
【図８】
2014075029.tif 000010
【図９】
2014075029.tif 000011
【図１０】
2014075029.tif 000012
【図１１】
2014075029.tif 000013
【図１２】
2014075029.tif 000014
【図１３】
2014075029.tif 000015